【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
第１Ｖ２Ｘ通信装置がＶ２Ｘメッセージを送信する方法において、
サーバーから大気汚染情報を受信するステップと、
大気汚染に関する情報を提供するためのＶ２Ｘメッセージを生成するステップであって、前記Ｖ２Ｘメッセージが前記大気汚染情報に基づいて車両のドライビングモード及び／又はストップモードに設定するための車両制御情報を含む、ステップと、
前記Ｖ２Ｘメッセージを前記車両と関連した第２Ｖ２Ｘ通信装置に送信するステップとを含み、
前記車両制御情報に基づいて、前記ドライビングモードはエコドライビングモードに設定され、前記ストップモードはオートストップモードに設定される、Ｖ２Ｘメッセージを送信する方法。
【請求項２】
前記車両制御情報は、前記車両を制御するためのモードを示す制御モード情報を含み、
前記制御モード情報は、前記エコドライビングモードを示すエコドライビングモード情報及び、前記オートストップモードを示すオートストップモード情報の少なくとも１つを含む、請求項１に記載のＶ２Ｘメッセージを送信する方法。
【請求項３】
前記制御モード情報が第１値に設定された場合、前記制御モード情報は対応する車両制御に対する解除モードの実行を示し、
前記制御モード情報が第２値に設定された場合、前記制御モード情報は対応する車両制御に対する勧奨モードの実行を示し、
前記制御モード情報が第３値に設定された場合、前記制御モード情報は対応する車両制御に対する強制モードの実行を示す、請求項２に記載のＶ２Ｘメッセージを送信する方法。
【請求項４】
前記車両制御情報は、
前記エコドライビングモードの有効期間を示すエコドライビングライフタイム情報、及び前記オートストップモードの有効期間を示すオートストップライフタイム情報の少なくとも１つを含む、請求項２に記載のＶ２Ｘメッセージを送信する方法。
【請求項５】
Ｖ２Ｘメッセージを送信する第１Ｖ２Ｘ通信装置であって、
通信信号を送受信する通信ユニットと、
前記通信ユニットを制御するプロセッサとを含み、
前記プロセッサは、
サーバーから大気汚染情報を受信し、
大気汚染に関する情報を提供するためのＶ２Ｘメッセージを生成し、前記Ｖ２Ｘメッセージは、前記大気汚染情報に基づいて、車両のドライビングモード及び／又はストップモードを設定するための車両制御情報を含み、
前記Ｖ２Ｘメッセージを前記車両と関連した第２Ｖ２Ｘ通信装置に送信し、
前記車両制御情報に基づいて、前記ドライビングモードはエコドライビングモードに設定され、前記ストップモードは、オートストップモードに設定される、第１Ｖ２Ｘ通信装置。
【請求項６】
前記車両制御情報は、前記車両を制御するためのモードを示す制御モード情報を含み、
前記制御モード情報は、前記エコドライビングモードを示すエコドライビングモード情報及び、前記オートストップモードを示すオートストップモード情報のうち少なくとも１つをさらに含む、請求項５に記載の第１Ｖ２Ｘ通信装置。
【請求項７】
前記制御モード情報が第１値に設定された場合、前記制御モード情報は対応する車両制御に対する解除モードの実行を示し、
前記制御モード情報が第２値に設定された場合、前記制御モード情報は対応する車両制御に対する勧奨モードの実行を示し、
前記制御モード情報が第３値に設定された場合、前記制御モード情報は対応する車両制御に対する強制モードの実行を示す、請求項６に記載の第１Ｖ２Ｘ通信装置。
【請求項８】
前記車両制御情報は、前記エコドライビングモードの有効期間を示すエコドライビングライフタイム情報及び、前記オートストップモードの有効期間を示すオートストップライフタイム情報の少なくとも１つをさらに含む、請求項６に記載の第１Ｖ２Ｘ通信装置。
【請求項９】
車両と関連した第２Ｖ２Ｘ通信装置が第１Ｖ２Ｘ通信装置からＶ２Ｘメッセージを受信する方法であって、
大気汚染に関する情報を提供するためのＶ２Ｘメッセージを受信するステップと、
前記Ｖ２Ｘメッセージが、前記大気汚染に関する情報に基づいて車両のドライビングモード及び／又はストップモードに設定するための車両制御情報を含んでいるかを決定するステップと、
前記Ｖ２Ｘメッセージが前記車両制御情報を含む時、前記車両制御情報に基づいて前記ドライビングモード及び／又は前記ストップモードを設定するステップとを含み、
前記ドライビングモードはエコドライビングモードに設定され、前記ストップモードはオートストップモードに設定される、Ｖ２Ｘメッセージを受信する方法。
【請求項１０】
前記車両制御情報は、前記車両を制御するためのモードを示す制御モード情報を含み、
前記ドライビングモード及び／又は前記ストップモードに設定するステップは、
前記制御モード情報が第１の値である場合、対応する車両制御に対する解除モードを行い、
前記制御モード情報が第２値である場合、対応する車両制御に対する勧奨モードを行い、
前記制御モード情報が第３値である場合、対応する車両制御に対する強制モードを行う、請求項９に記載のＶ２Ｘメッセージを受信する方法。
【請求項１１】
前記対応する車両制御に対する勧奨モードが行われる時、前記車両がオートモードにあるか決定するステップをさらに含み、
前記第２Ｖ２Ｘ通信装置は、前記車両がオートモードにある時、前記対応する車両制御の動作を行う、請求項１０に記載のＶ２Ｘメッセージを受信する方法。
【請求項１２】
前記車両制御情報は、前記エコドライビングモードの有効期間を示すエコドライビングライフタイム情報、及び前記オートストップモードの有効期間を示すオートストップライフタイム情報の少なくとも１つをさらに含む、請求項９に記載のＶ２Ｘメッセージを受信する方法。
【請求項１３】
第１Ｖ２Ｘ通信装置からＶ２Ｘメッセージを受信する第２Ｖ２Ｘ通信装置であって、
前記第２Ｖ２Ｘ通信装置は車両と関連し、
通信信号を送受信する通信ユニットと
前記通信ユニットを制御するプロセッサとを含み、
前記プロセッサは、
大気汚染に関する情報を提供するためのＶ２Ｘメッセージを受信し、  
前記大気汚染に関する情報に基づいて、前記Ｖ２Ｘメッセージが前記車両のドライビングモード及び／又はストップモードを設定するための車両制御情報を含んでいるかを決定し、
前記Ｖ２Ｘメッセージが前記車両制御情報を含む時、前記車両制御情報に基づいて前記ドライビングモード及び／又は前記ストップモードに設定し、
前記ドライビングモードはエコドライビングモードに設定され、前記ストップモードはオートストップモードに設定される、第２Ｖ２Ｘ通信装置。
【請求項１４】
前記車両制御情報は、前記車両を制御するためのモードを示す制御モード情報を含み、
前記ドライビングモード及び／又は前記ストップモードを設定するために、前記プロセッサは、
前記制御モード情報が第１の値である場合、対応する車両制御に対する解除モードを行い、
前記制御モード情報が第２値である場合、対応する車両制御に対する勧奨モードを行い、
前記制御モード情報が第３値である場合、対応する車両制御に対する強制モードを行う、請求項１３に記載の第２Ｖ２Ｘ通信装置。
【請求項１５】
対応車両制御の前記勧奨モードが行われる時、前記車両がオートモードにあるか決定することをさらに含み、
前記車両がオートモードにある時、前記第２Ｖ２Ｘ通信装置は、前記対応する車両制御の動作を行う、請求項１４に記載の第２Ｖ２Ｘ通信装置。
【請求項１６】
前記車両制御情報は、
前記エコドライビングモードの有効期間を示すエコドライビングライフタイム情報及び、前記オートストップモードの有効期間を示すオートストップライフタイム情報の少なくとも１つを含む、請求項１３に記載の第２Ｖ２Ｘ通信装置。
【請求項１７】
前記エコドライビングモードは、車両から排出される大気汚染量を減少するために、予め設定した制御アルゴリズムに対応して前記車両のエンジン及びトランスミッションを制御するためのモードであり、
前記オートストップモードは、前記車両が所定の期間以上において停止する時、前記車両のエンジンが自動的に停止するモードである、請求項１に記載のＶ２Ｘメッセージを送信する方法。
【請求項１８】
前記所定の期間は、交通信号又はバス停留所の停止信号で前記車両が停止する期間である、請求項１７に記載のＶ２Ｘメッセージを送信する方法。